(57)【要約】【課題】据置価格を差し引いた自動車の本体価格と自動車に関する諸費用との合計金額のローン支払額を算出することができるローン支払額算出装置を提供する。【解決手段】顧客情報データベース２４ａにそれぞれ記憶されている自動車の本体価格、税金額、保険料額、及び、車検料額の合計金額から据置価格及び頭金額を差し引いた額と、ローン支払期間に関する情報とに基づいて、ローン支払月額と賞与時ローン支払額とを算出する。また、ローンの完済後においては、顧客が選択した、自動車の返却、据置価格の分割ローン払い、据置価格の一括払いの何れかを登録する。【選択図】図４
2008146368.tif 000002
【特許請求の範囲】
【請求項１】
据置価格を差し引いた自動車の本体価格と自動車に関する諸費用との合計金額について分割でローンを支払うためのローン支払額を算出するローン支払額算出装置であって、
顧客の識別情報、自動車に関する情報、自動車の利用に関する情報、自動車の運転者に関する情報、ローン期間に関する情報、自動車の本体価格、及び、頭金額の入力を受け付ける受付手段と、
前記受付手段が受け付けた各情報を前記顧客の識別情報に対応付けて記憶する第１記憶部と、
据置価格データベースにアクセスし、前記第１記憶部に記憶されている前記本体価格と前記ローン期間に関する情報に基づいて据置価格を決定する据置価格決定手段と、
前記据置価格決定手段が決定した前記据置価格を前記顧客の識別情報に対応付けて記憶する第２記憶部と、
税金額データベースにアクセスし、前記第１記憶部に記憶されている前記自動車に関する情報、前記自動車の利用に関する情報、及び、前記ローン期間に関する情報に基づいて、ローン期間中の自動車に関する税金額を決定する税金額決定手段と、
前記税金額決定手段が決定した前記税金額を前記顧客の識別情報に対応付けて記憶する第３記憶部と、
保険料額データベースにアクセスし、前記第１記憶部に記憶されている前記顧客の識別情報、前記自動車に関する情報、前記自動車の利用に関する情報、前記自動車の運転者に関する情報、及び、前記ローン期間に関する情報に基づいて、ローン期間中の保険料額を決定する保険料額決定手段と、
前記保険料額決定手段が決定した前記保険料額を前記顧客情報に対応付けて記憶する第４記憶部と、
車検料額データベースにアクセスし、前記第１記憶部に記憶されている前記自動車に関する情報、前記自動車の利用に関する情報、及び、前記ローン期間に関する情報に基づいて、ローン期間中の車検料額を決定する車検料額決定手段と、
前記車検料額決定手段が決定した前記車検料額を前記顧客情報に対応付けて記憶する第５記憶部と、
前記第１乃至第５記憶部にそれぞれ記憶されている、前記本体価格、前記税金額、前記保険料額、及び、前記車検料額の合計金額から前記据置価格及び前記頭金額を差し引いた額と、前記ローン支払期間に関する情報とに基づいて、ローン支払額を算出する算出手段と、
前記算出手段が算出した前記ローン支払額を前記顧客情報に対応付けて記憶する第６記憶部と、
前記第６記憶部に記憶されている前記ローン支払額を表示する表示手段とを備えることを特徴とするローン支払額算出装置。
【請求項２】
前記受付手段は、ローン完済後における、自動車の返却、据置価格の分割ローン払い、据置価格の一括払いの何れかの選択入力を受け付け、
当該自動車の返却、据置価格の分割ローン払い、据置価格の一括払いのいずれかを示す処分情報を前記顧客の識別情報に対応付けて記憶する第７記憶部をさらに備えることを特徴とする請求項１に記載のローン支払額算出装置。
【請求項３】
コンピュータに据置価格を差し引いた自動車の本体価格と自動車に関する諸費用との合計金額について分割でローンを支払うためのローン支払額を算出させるローン支払額算出プログラムであって、
顧客の識別情報、自動車に関する情報、自動車の利用に関する情報、自動車の運転者に関する情報、ローン期間に関する情報、自動車の本体価格、及び、頭金額の入力を受け付けるステップ（Ａ）と、
前記ステップ（Ａ）で受け付けた各情報を前記顧客の識別情報に対応付けて記憶部に記憶させるステップ（Ｂ）と、
据置価格データベースにアクセスし、前記記憶部に記憶されている前記本体価格と前記ローン期間に関する情報に基づいて据置価格を決定するステップ（Ｃ）と、
前記ステップ（Ｃ）で決定した前記据置価格を前記顧客の識別情報に対応付けて前記記憶部に記憶させるステップ（Ｄ）と、
税金額データベースにアクセスし、前記記憶部に記憶されている前記自動車に関する情報、前記自動車の利用に関する情報、及び、前記ローン期間に関する情報に基づいて、ローン期間中の自動車に関する税金を決定するステップ（Ｅ）と、
前記ステップ（Ｅ）で決定した前記税金額を前記顧客の識別情報に対応付けて前記記憶部に記憶させるステップ（Ｆ）と、
保険料額データベースにアクセスし、前記記憶部に記憶されている前記顧客の識別情報、前記自動車に関する情報、前記自動車の利用に関する情報、前記自動車の運転者に関する情報、及び、前記ローン期間に関する情報に基づいて、ローン期間中の保険料額を決定するステップ（Ｇ）と、
前記ステップ（Ｇ）で決定した前記保険料額を前記顧客情報に対応付けて前記記憶部に記憶させるステップ（Ｈ）と、
車検料額データベースにアクセスし、前記記憶部に記憶されている前記自動車に関する情報、前記自動車の利用に関する情報、及び、前記ローン期間に関する情報に基づいて、ローン期間中の車検料額を決定するステップ（Ｉ）と、
前記ステップ（Ｉ）で決定した前記車検料額を前記顧客情報に対応付けて前記記憶部に記憶するステップ（Ｊ）と、
前記記憶部にそれぞれ記憶されている、前記本体価格、前記税金額、前記保険料額、及び、前記車検料額の合計金額から前記据置価格及び前記頭金額を差し引いた額と、前記ローン支払期間に関する情報とに基づいて、ローン支払額を算出するステップ（Ｋ）と、
前記ステップ（Ｋ）で算出した前記ローン支払額を前記顧客情報に対応付けて前記記憶部に記憶させるステップ（Ｌ）と、
前記記憶部に記憶されている前記ローン支払額をディスプレイに表示するステップ（Ｍ）をコンピュータに実行させることを特徴とするローン支払額算出プログラム。
【請求項４】
ローン完済後における、自動車の返却、据置価格の分割ローン払い、据置価格の一括払いの何れかの選択入力を受け付けるステップ（Ｎ）と、
前記ステップ（Ｎ）で受け付けた、前記自動車の返却、前記据置価格の分割ローン払い、前記据置価格の一括払いのいずれかを示す処分情報を前記顧客の識別情報に対応付けて前記記憶部に記憶させるステップ（Ｏ）とをさらに含むことを特徴とする請求項３に記載のローン支払額算出プログラム。
【請求項５】
請求項３又は４に記載のローン支払額算出プログラムが記録されているコンピュータ読み取り可能な記録媒体。
【発明の詳細な説明】
【技術分野】
【０００１】
本発明は、ローン支払額算出装置に関し、詳しくは、据置価格を差し引いた自動車の本体価格と自動車に関する諸費用との合計金額を分割してローンで支払うためのローン支払額を算出するローン支払額算出装置、ローン支払算出プログラム、及び、記憶媒体に関する。
【背景技術】
【０００２】
従来、自動車の残金据置ローンにおける据置限度期間と据置可能上限額を合理的に設定するシステムが発明され（例えば、特許文献１）、自動車の本体価格から据置価格（据置額）を差し引いた額を分割ローンで支払うことが行われている。ここで、据置価格とは、ローン完済後の自動車の下取り価格（残存価格）のことである。
【特許文献１】特開平２００４−３２６２８６号公報
【発明の開示】
【発明が解決しようとする課題】
【０００３】
自動車を購入した者は、通常、自動車保険（任意保険）に加入するので保険料が必要となる。また、自動車を購入すると車検を受ける必要があるので車検料も必要となる。しかし、上述の従来のシステムでは、据置限度期間と据置可能上限額を設定するのみであり、ローンで支払う金額に含まれるのは自動車の本体価格から据置価格を差し引いた額のみであるので、保険料や車検料などの自動車に関する諸費用を分割ローンの支払い額に含めるものではなかった。そのため、自動車の購入者に資金が十分でない場合には、長期期間の保険を契約して当該保険料を一括して払うことができず、毎年ごとの契約及び支払いとなるため保険料が高くなるという問題があり、また、毎年ごとに保険の契約更新の手続きが必要であり煩雑であるという問題があった。
【０００４】
本発明は、かかる問題に鑑みてなされたものであり、据置価格を差し引いた自動車の本体価格と自動車に関する諸費用との合計金額を分割してローンで支払うためのローン支払額を算出することができるローン支払額算出装置、ローン支払額算出プログラム、及び、記憶媒体を提供することを目的とする。
【課題を解決するための手段】
【０００５】
上記目的を達成するために、請求項１に記載のローン支払額算出装置は、据置価格を差し引いた自動車の本体価格と自動車に関する諸費用との合計金額について分割でローンを支払うためのローン支払額を算出するローン支払額算出装置であって、顧客の識別情報、自動車に関する情報、自動車の利用に関する情報、自動車の運転者に関する情報、ローン期間に関する情報、自動車の本体価格、及び、頭金額の入力を受け付ける受付手段と、前記受付手段が受け付けた各情報を前記顧客の識別情報に対応付けて記憶する第１記憶部と、据置価格データベースにアクセスし、前記第１記憶部に記憶されている前記本体価格と前記ローン期間に関する情報に基づいて据置価格を決定する据置価格決定手段と、前記据置価格決定手段が決定した前記据置価格を前記顧客の識別情報に対応付けて記憶する第２記憶部と、税金額データベースにアクセスし、前記第１記憶部に記憶されている前記自動車に関する情報、前記自動車の利用に関する情報、及び、前記ローン期間に関する情報に基づいて、ローン期間中の自動車に関する税金額を決定する税金額決定手段と、前記税金額決定手段が決定した前記税金額を前記顧客の識別情報に対応付けて記憶する第３記憶部と、保険料額データベースにアクセスし、前記第１記憶部に記憶されている前記顧客の識別情報、前記自動車に関する情報、前記自動車の利用に関する情報、前記自動車の運転者に関する情報、及び、前記ローン期間に関する情報に基づいて、ローン期間中の保険料額を決定する保険料額決定手段と、前記保険料額決定手段が決定した前記保険料額を前記顧客情報に対応付けて記憶する第４記憶部と、車検料額データベースにアクセスし、前記第１記憶部に記憶されている前記自動車に関する情報、前記自動車の利用に関する情報、及び、前記ローン期間に関する情報に基づいて、ローン期間中の車検料額を決定する車検料額決定手段と、前記車検料額決定手段が決定した前記車検料額を前記顧客情報に対応付けて記憶する第５記憶部と、前記第１乃至第５記憶部にそれぞれ記憶されている、前記本体価格、前記税金額、前記保険料額、及び、前記車検料額の合計金額から前記据置価格及び前記頭金額を差し引いた額と、前記ローン支払期間に関する情報とに基づいて、ローン支払額を算出する算出手段と、前記算出手段が算出した前記ローン支払額を前記顧客情報に対応付けて記憶する第６記憶部と、前記第６記憶部に記憶されている前記ローン支払額を表示する表示手段とを備えることを特徴としている。
【０００６】
この構成によれば、ローン支払額算出装置は、据置価格を差し引いた自動車の本体価格と自動車に関する諸費用との合計金額について分割でローンを支払うためのローン支払額を算出するローン支払額算出装置であって、受付手段により、顧客の識別情報、自動車に関する情報、自動車の利用に関する情報、自動車の運転者に関する情報、ローン期間に関する情報、自動車の本体価格、及び、頭金額の入力が受け付けられ、第１記憶部により、受付手段が受け付けた各情報が顧客の識別情報に対応付けて記憶される。また、据置価格決定手段により、据置価格データベースにアクセスされ、第１記憶部に記憶されている本体価格とローン期間に関する情報に基づいて据置価格が決定され、第２記憶部により、据置価格決定手段が決定した据置価格が顧客の識別情報に対応付けて記憶される。さらに、税金額決定手段により、税金額データベースにアクセスされ、第１記憶部に記憶されている自動車に関する情報、自動車の利用に関する情報、及び、ローン期間に関する情報に基づいて、ローン期間中の自動車に関する税金額が決定され、第３記憶部により、税金額決定手段が決定した税金額が顧客の識別情報に対応付けて記憶される。また、保険料額決定手段により、保険料額データベースにアクセスされ、第１記憶部に記憶されている顧客の識別情報、自動車に関する情報、自動車の利用に関する情報、自動車の運転者に関する情報、及び、ローン期間に関する情報に基づいて、ローン期間中の保険料額が決定され、第４記憶部により、保険料額決定手段が決定した保険料額が前記顧客情報に対応付けて記憶される。さらに、車検料額決定手段により、車検料額データベースにアクセスされ、第１記憶部に記憶されている自動車に関する情報、自動車の利用に関する情報、及び、ローン期間に関する情報に基づいて、ローン期間中の車検料額が決定され、第５記憶部により、車検料額決定手段が決定した車検料額が顧客情報に対応付けて記憶される。そして、算出手段により、第１乃至第５記憶部にそれぞれ記憶されている、本体価格、税金額、保険料額、及び、車検料額の合計金額から据置価格及び頭金額を差し引いた額と、ローン支払期間に関する情報とに基づいて、ローン支払額が算出され、第６記憶部により、算出手段が算出したローン支払額が顧客情報に対応付けて記憶され、表示手段により、第６記憶部に記憶されているローン支払額が表示される。なお、「ローン支払額」とは、毎月支払うローン支払月額と賞与時（ボーナス時）に支払う賞与時ローン支払額の少なくとも一方を含む（以下の請求項において同じである。）。
【０００７】
このように、本体価格から頭金額と据置価格を差し引いた額に、税金額、保険料額、及び、車検料額を加えた額についてのローン支払額を算出するので、自動車の購入者は、自動車の価格に加え、自動車に関する諸費用をも含む金額のローンを組くむことができる。したがって、自動車の価格及び自動車に関する諸費用をまとめて毎月一定の額だけ返済することができるので、資金繰りの計画を容易に立てることができる。また、購入者の資金が十分でない場合でも、ローンによって長期一括保険を契約することができるので、保険料額を低く抑えることができ、また、煩雑な毎年の保険の契約更新の手続きを省くことができ、さらに、契約期間中に事故を起こしても保険料が変わることがない。
【０００８】
請求項２に記載のローン支払額算出装置は、請求項１に記載のローン支払額算出装置であって、前記受付手段は、ローン完済後における、自動車の返却、据置価格の分割ローン払い、据置価格の一括払いの何れかの選択入力を受け付け、当該自動車の返却、据置価格の分割ローン払い、据置価格の一括払いのいずれかを示す処分情報を前記顧客の識別情報に対応付けて記憶する第７記憶部をさらに備えることを特徴としている。
【０００９】
この構成によれば、受付手段により、ローン完済後における、自動車の返却、据置価格の分割ローン払い、据置価格の一括払いの何れかの選択入力が受け付けられ、第７記憶部により、自動車の返却、据置価格の分割ローン払い、据置価格の一括払いのいずれかを示す処分情報が顧客の識別情報に対応付けて記憶される。したがって、ローン完済後に自動車をどのように処分するかを顧客の情報に対応付けて登録し、管理することができる。
【００１０】
上記課題を解決するために、請求項３に記載のローン支払額算出プログラムは、コンピュータに据置価格を差し引いた自動車の本体価格と自動車に関する諸費用との合計金額について分割でローンを支払うためのローン支払額を算出させるローン支払額算出プログラムであって、顧客の識別情報、自動車に関する情報、自動車の利用に関する情報、自動車の運転者に関する情報、ローン期間に関する情報、自動車の本体価格、及び、頭金額の入力を受け付けるステップ（Ａ）と、前記ステップ（Ａ）で受け付けた各情報を前記顧客の識別情報に対応付けて記憶部に記憶させるステップ（Ｂ）と、据置価格データベースにアクセスし、前記記憶部に記憶されている前記本体価格と前記ローン期間に関する情報に基づいて据置価格を決定するステップ（Ｃ）と、前記ステップ（Ｃ）で決定した前記据置価格を前記顧客の識別情報に対応付けて前記記憶部に記憶させるステップ（Ｄ）と、税金額データベースにアクセスし、前記記憶部に記憶されている前記自動車に関する情報、前記自動車の利用に関する情報、及び、前記ローン期間に関する情報に基づいて、ローン期間中の自動車に関する税金を決定するステップ（Ｅ）と、前記ステップ（Ｅ）で決定した前記税金額を前記顧客の識別情報に対応付けて前記記憶部に記憶させるステップ（Ｆ）と、保険料額データベースにアクセスし、前記記憶部に記憶されている前記顧客の識別情報、前記自動車に関する情報、前記自動車の利用に関する情報、前記自動車の運転者に関する情報、及び、前記ローン期間に関する情報に基づいて、ローン期間中の保険料額を決定するステップ（Ｇ）と、前記ステップ（Ｇ）で決定した前記保険料額を前記顧客情報に対応付けて前記記憶部に記憶させるステップ（Ｈ）と、車検料額データベースにアクセスし、前記記憶部に記憶されている前記自動車に関する情報、前記自動車の利用に関する情報、及び、前記ローン期間に関する情報に基づいて、ローン期間中の車検料額を決定するステップ（Ｉ）と、前記ステップ（Ｉ）で決定した前記車検料額を前記顧客情報に対応付けて前記記憶部に記憶するステップ（Ｊ）と、前記記憶部にそれぞれ記憶されている、前記本体価格、前記税金額、前記保険料額、及び、前記車検料額の合計金額から前記据置価格及び前記頭金額を差し引いた額と、前記ローン支払期間に関する情報とに基づいて、ローン支払額を算出するステップ（Ｋ）と、前記ステップ（Ｋ）で算出した前記ローン支払額を前記顧客情報に対応付けて前記記憶部に記憶させるステップ（Ｌ）と、前記記憶部に記憶されている前記ローン支払額をディスプレイに表示するステップ（Ｍ）をコンピュータに実行させることを特徴としている。
【００１１】
この構成によれば、コンピュータに据置価格を差し引いた自動車の本体価格と自動車に関する諸費用との合計金額について分割でローンを支払うためのローン支払額を算出させるローン支払額算出プログラムであって、ステップ（Ａ）において、顧客の識別情報、自動車に関する情報、自動車の利用に関する情報、自動車の運転者に関する情報、ローン期間に関する情報、自動車の本体価格、及び、頭金額の入力を受け付け、ステップ（Ｂ）においてステップ（Ａ）で受け付けた各情報を顧客の識別情報に対応付けて記憶部に記憶させる。また、ステップ（Ｃ）において、据置価格データベースにアクセスし、記憶部に記憶されている本体価格とローン期間に関する情報に基づいて据置価格を決定し、ステップ（Ｄ）において、ステップ（Ｃ）で決定した据置価格を顧客の識別情報に対応付けて記憶部に記憶させる。さらに、ステップ（Ｅ）において、税金額データベースにアクセスし、記憶部に記憶されている自動車に関する情報、自動車の利用に関する情報、及び、ローン期間に関する情報に基づいて、ローン期間中の自動車に関する税金を決定し、ステップ（Ｆ）において、ステップ（Ｅ）で決定した税金額を顧客の識別情報に対応付けて記憶部に記憶させる。また、ステップ（Ｇ）において、保険料額データベースにアクセスし、記憶部に記憶されている顧客の識別情報、自動車に関する情報、自動車の利用に関する情報、自動車の運転者に関する情報、及び、ローン期間に関する情報に基づいて、ローン期間中の保険料額を決定し、ステップ（Ｈ）において、ステップ（Ｇ）で決定した保険料額を顧客情報に対応付けて記憶部に記憶させる。さらに、ステップ（Ｉ）において、車検料額データベースにアクセスし、記憶部に記憶されている自動車に関する情報、自動車の利用に関する情報、及び、ローン期間に関する情報に基づいて、ローン期間中の車検料額を決定し、ステップ（Ｊ）において、ステップ（Ｉ）で決定した車検料額を顧客情報に対応付けて記憶部に記憶する。そして、ステップ（Ｋ）において、記憶部にそれぞれ記憶されている、本体価格、税金額、保険料額、及び、車検料額の合計金額から据置価格及び頭金額を差し引いた額と、ローン支払期間に関する情報とに基づいて、ローン支払額を算出し、ステップ（Ｌ）において、ステップ（Ｋ）で算出したローン支払額を顧客情報に対応付けて記憶部に記憶させ、ステップ（Ｍ）において、記憶部に記憶されているローン支払額をディスプレイに表示する。したがって、コンピュータに本体価格から頭金額と据置価格を差し引いた額に、税金額、保険料額、及び、車検料額を加えた額についてのローン支払額を算出させることができる。
【００１２】
請求項４に記載のローン支払額算出プログラムは、請求項３に記載のローン支払額算出プログラムであって、ローン完済後における、自動車の返却、据置価格の分割ローン払い、据置価格の一括払いの何れかの選択入力を受け付けるステップ（Ｎ）と、ステップ（Ｎ）で受け付けた、自動車の返却、据置価格の分割ローン払い、据置価格の一括払いのいずれかを示す処分情報を顧客の識別情報に対応付けて前記記憶部に記憶させるステップ（Ｏ）とをさらに含むことを特徴としている。
【００１３】
この構成によれば、ステップ（Ｎ）において、ローン完済後における、自動車の返却、据置価格の分割ローン払い、据置価格の一括払いの何れかの選択入力を受け付け、ステップ（Ｏ）において、ステップ（Ｎ）で受け付けた、自動車の返却、据置価格の分割ローン払い、据置価格の一括払いのいずれかを示す処分情報を顧客の識別情報に対応付けて記憶部に記憶させる。したがって、ローン完済後に自動車をどのように処分するかを顧客の情報に対応付けて登録し、管理することができる。
【００１４】
請求項５に記載の記録媒体は、請求項３又は４に記載のローン支払額算出プログラムが記録されているコンピュータ読み取り可能な記録媒体である。したがって、コンピュータに請求項３又は４に記載のローン支払額算出プログラムを実行させることができる。
【発明を実施するための最良の形態】
【００１５】
以下、本発明に係るローン支払額算出装置の例について、図面を参照しつつ説明する。本実施の形態のローン支払額算出装置は、図１に示すようなパーソナルコンピュータ１によって実現される。つまり、パーソナルコンピュータ１にローン支払額算出プログラムをインストールし、パーソナルコンピュータ１でこのローン支払額算出プログラムを実行することによって実現される。
【００１６】
図１に示すように、パーソナルコンピュータ１は、本体２、キーボード３、マウス４、及び、ディスプレイ５を備えている。図２は、パーソナルコンピュータ１のブロック図である。図２に示すように、パーソナルコンピュータ１では、本体２、キーボード３、マウス４、及び、ディスプレイ５がバス６によって通信可能に接続されている。また、本体２には、ＣＰＵ２１、ＲＯＭ２２、ＲＡＭ２３、及び、ＨＤＤ(Hard Disk Drive)２４が含まれている。
【００１７】
ＣＰＵ２１は、ＨＤＤ２４から読み出されてＲＡＭ２３に格納された各種の制御プログラムに従って、パーソナルコンピュータ１の各部の動作を制御する。ＲＯＭ２２は、パーソナルコンピュータ１の動作に必要な各種の設定データなどを格納する。ＲＡＭ２３は、ＣＰＵ２１のワークエリアなどとして機能するものであり、実行するプログラムの一部又は全部がＨＤＤ２４から読み出されて格納される。ＨＤＤ２４は、ＣＰＵ２１によりこのパーソナルコンピュータ１の各部の動作を制御するための前記制御プログラムや、後述する各種のデータベースなどを記憶する。このＨＤＤ２４には、前述したローン支払額算出プログラムも記憶されている。
【００１８】
キーボード３、及び、マウス４は、パーソナルコンピュータに対して各種の入力操作を行うものである。ディスプレイ５は、例えば、ＬＣＤ（Liquid Crystal Display）などからなり、ＣＰＵ２１による演算結果などの各種の画面情報を表示するものである。
【００１９】
このようなパーソナルコンピュータ１は、ＨＤＤ２４に記憶されているローン支払額算出プログラムをＲＡＭ２３に読み出してＣＰＵ２１で実行することによってローン支払額算出装置として機能する。このパーソナルコンピュータ（ローン支払額算出装置）１では、ローンを組む顧客や自動車などの各種の情報を入力することにより、据置価格を差し引いた自動車の本体価格と、自動車保険（任意保険）料などの自動車に関する諸費用との合計金額のローン支払額を算出することができる。また、ローンの完済後においては、顧客が選択した、自動車の返却、据置価格の分割ローン払い、据置価格の一括払いの何れかを登録することができる。
【００２０】
以下に、図３及び図４のフローチャートを用いて、パーソナルコンピュータ１でローン支払額を算出する際に、ＣＰＵ２１が実行する処理について説明する。ＣＰＵ２１が実行する処理は、ＨＤＤ２４に記憶されているローン支払額算出プログラムに従って実行される。なお、図３及び図４に示す処理は一例であり、処理の実行順序を変更しても本発明を実現できる場合には、実行順序を変更してもかまわない。
【００２１】
オペレータがマウス４を使用して所定の操作を行い、ローン支払額算出プログラムを実行させると、ローン支払額算出プログラムのインターフェース画面がディスプレイ５に表示される。そして、オペレータによるキーボード３やマウス４を使用した操作に応じて、ＣＰＵ２１は、「顧客の識別情報」、「自動車に関する情報」、「自動車の利用に関する情報」、「自動車の運転手に関する情報」、「自動車の本体価格」、「頭金額」、及び、「ローン期間に関する情報」の入力を受け付ける（Ｓ１０１）。そして、受け付けたこれらの情報を「顧客の識別情報」に対応付けて、ＨＤＤ２４上に存在する顧客情報データベース２４ａの所定の記憶領域に記憶する（Ｓ１０２）。
【００２２】
ここで、「顧客の識別情報」とは、例えば、顧客の＜氏名＞、＜生年月日＞、＜住所＞、＜電話番号＞などの情報である。「自動車に関する情報」とは、例えば、＜メーカー名＞、＜車名＞、＜年式＞、＜ナンバー区分＞などの情報である。ここで、＜ナンバー区分＞とは、自動車に割り当てられるナンバープレートに記載される、２桁又は３桁の数字の最上位の桁の数字であり、自動車の種別及び用途を示す番号である。「自動車の利用に関する情報」とは、例えば、＜自家用／営業用＞、＜業務用／通勤用／レジャー用＞、＜年間予想走行距離＞、＜運転地域＞などの情報である。なお、＜自家用／営業用＞の情報は、自動車が自家用であるか営業用であるかを示す情報であり、＜業務用／通勤用／レジャー用＞の情報は、自動車の用途が業務用であるか通勤用であるかレジャー用であるかを示す情報である。「自動車の運転手に関する情報」とは、例えば、＜年齢＞、＜性別＞、＜免許取得年月日＞、＜運転免許証の色＞などの情報である。そして、「ローン期間に関する情報」とは、例えば、＜ローンの支払開始月＞、＜ローン支払月数＞などの情報である。
【００２３】
次に、ＣＰＵ２１は、ＨＤＤ２４に記憶されている据置価格データベース２４ｂにアクセスし、顧客情報データベース２４ａに記憶されている＜本体価格＞、及び、「ローン期間に関する情報」である＜ローン支払月数＞に基づいて、自動車のローン完済後の据置価格を決定する（Ｓ１０３）。そして、決定した据置価格を顧客の識別情報に対応付けて顧客情報データベース２４ａの所定の領域に記憶する（Ｓ１０４）。
【００２４】
据置価格の決定及び記憶が終了すると、ＣＰＵ２１は、次に自動車の税金額、具体的には、自動車税額（軽自動車税額）の決定を行う（Ｓ１０５）。自動車税の決定では、まず、ＣＰＵ２１は、ＨＤＤ２４に記憶されている自動車情報データベース２４ｃにアクセスし、顧客情報データベース２４ａに記憶されている「自動車に関する情報」である＜メーカー名＞、＜車名＞、＜年式＞に基づいて、自動車の＜自動車種別＞、＜排気量＞を特定する。ここで、＜自動車種別＞とは、軽自動車であるか否か、乗用車／ライトバン／トラック／バス／小型三輪トラックのいずれであるか、普通車／小型車のいずれであるか、定員が何名であるか、積載量がいくらであるかを示す情報である。そして、次に、ＣＰＵ２１は、ＨＤＤ２４に記憶されている税金額データベース２４ｄにアクセスし、先に特定した＜自動車種別＞及び＜排気量＞と、顧客情報データベース２４ａに記憶されている「自動車の利用に関する情報」である＜自家用／営業用＞と、「ローン期間に関する情報」である＜ローン支払月数＞とに基づいて、自動車税額（軽自動車税額）を決定する。なお、ここで決定する自動車税額は、１年分の税額ではなく、ローン期間、つまり、自動車の使用期間に対応した数年分の自動車税額である。こうして税金額（自動車税額／軽自動車税額）を決定すると、当該税金額を顧客の識別情報に対応付けて顧客情報データベース２４ａの所定の領域に記憶する（Ｓ１０６）。
【００２５】
税金額の決定及び記憶が終了すると、ＣＰＵ２１は、次に保険料額、具体的には、自動車保険（任意保険）の保険料額の決定を行う（Ｓ１０７）。即ち、ＣＰＵ２１は、ＨＤＤ２４に記憶されている保険料額データベース２４ｅにアクセスし、顧客情報データベース２４ａに記憶されている「自動車に関する情報」である＜メーカー名＞、＜車名＞、＜年式＞、「自動車の利用に関する情報」である＜業務用／通勤用／レジャー用＞、＜年間予想走行距離＞、＜運転地域＞、「自動車の運転手に関する情報」である＜年齢＞、＜性別＞、＜免許取得年月日＞、＜運転免許証の色＞、「ローン期間に関する情報」である＜ローン支払月数＞に基づいて、自動車保険の保険料額を決定する。なお、ここで決定する保険料額は、ローン期間、つまり、自動車の使用期間に対応した期間の保険料額であり、例えば、２年間以上の長期一括保険の保険料額とすることができる。こうして保険料額を決定すると、当該保険料額を顧客の識別情報に対応付けて顧客情報データベース２４ａの所定の領域に記憶する（Ｓ１０８）。
【００２６】
保険料額の決定及び記憶が終了すると、ＣＰＵ２１は、次に車検料額の決定を行う（Ｓ１０９）。まず、ＣＰＵ２１は、自動車情報データベース２４ｃにアクセスし、顧客情報データベース２４ａに記憶されている「自動車に関する情報」である＜メーカー名＞、＜車名＞、＜年式＞に基づいて、自動車の＜車両重量＞を特定する。そして、次に、ＣＰＵ２１は、ＨＤＤ２４に記憶されている車検料額データベース２４ｆにアクセスし、先に特定した＜車両重量＞と、顧客情報データベース２４ａに記憶されている「自動車に関する情報」である＜メーカー名＞、＜車名＞、＜年式＞、＜ナンバー区分＞、「自動車の利用に関する情報」である＜年間予想走行距離＞、＜運転地域＞と、「ローン期間に関する情報」である＜ローン支払月数＞に基づいて、車検料額を決定する。ここで決定する車検料額は、ローン期間、つまり、自動車の使用期間中に実施される車検の回数分の車検料額の合計である。こうして車検料額を決定すると、当該車検料額を顧客の識別情報に対応付けて顧客情報データベース２４ａの所定の領域に記憶する（Ｓ１１０）。
【００２７】
このようにして据置価格、税金額、保険料額、及び、車検料額を決定し、これらを顧客情報データベース２４ａに記憶すると、ＣＰＵ２１は、次に、ローン支払額を算出する（Ｓ１１１）。ステップＳ１１１のローン支払額の算出の処理では、ＣＰＵ２１が、顧客情報データベース２４ａにそれぞれ記憶されている、本体価格、税金額、保険料額、及び、車検料額の合計金額から据置価格及び頭金額を差し引いた金額と、「ローン支払期間に関する情報」である＜ローン支払開始月＞、＜ローン支払月数＞に基づいて、分割してローンを支払うためのローン支払月額と賞与時ローン支払額（ボーナス時ローン支払額）を算出する。そして、ローン支払月額と賞与時ローン支払額とを算出すると、当該ローン支払月額及び賞与時ローン支払額を「顧客の識別情報」に対応付けて顧客情報データベース２４ａの所定の領域に記憶する（Ｓ１１２）とともに、ローン支払月額と賞与時ローン支払額とを本体価格、据置価格、頭金額、税金額、保険料額、及び、車検料額とともにディスプレイ５に表示する（Ｓ１１３）。
【００２８】
以上に説明したように、本発明のローン支払額算出装置１によれば、本体価格から頭金額と据置価格を差し引いた額に、税金額、保険料額、及び、車検料額を加えた額について分割によってローンで支払うためのローン支払月額と賞与時ローン支払額とを算出する。したがって、自動車の購入者は、自動車の価格だけでなく、自動車に関する諸費用をも含む金額のローンを組んで毎月一定の額だけ返済することができるので、資金繰りの計画が容易に立てられるという効果がある。また、自動車の購入者の資金が十分でない場合でも、ローンによって長期一括保険を契約することができるので、保険料額を低く抑えることができ、また、煩雑な毎年の保険の契約更新の手続きを省くことができ、さらに、契約期間中に事故を起こしても保険料が変わらないという効果も得られる。
【００２９】
また、本発明のローン支払額算出装置１は、ローンの完済後に、自動車の処分についての登録を行うことも可能である。以下、図５のフローチャートを用いて、パーソナルコンピュータ１に自動車の処分についての登録を行う際に、ＣＰＵ２１が実行する処理について説明する。ＣＰＵ２１が実行する処理は、ＨＤＤ２４に記憶されているローン支払額算出プログラムに従って行われる。なお、図５に示す処理は一例であり、処理の実行順序を変更しても本発明を実現できる場合には、実行順序を変更してもかまわない。
【００３０】
オペレータがマウス４を使用して所定の操作を行い、ローン支払額算出プログラムを実行させると、ローン支払額算出プログラムのインターフェース画面がディスプレイ５に表示される。そして、オペレータによるキーボード３やマウス４を使用した操作に応じて、ＣＰＵ２１は、「顧客の識別情報」の入力を受け付け（Ｓ２０１）、ＨＤＤ２４に記憶されている顧客情報データベース２４ａにアクセスし、受け付けた「顧客の識別情報」に基づいて、顧客情報データベース２４ａに記憶されている「顧客の識別情報」を特定する（Ｓ２０２）。次に、ＣＰＵ２１は、ディスプレイ５のインターフェース画面に自動車の処分を決定するための選択項目を表示する（Ｓ２０３）。具体的には、例えば、「自動車の返却」、「分割ローン払い」、「一括払い」の選択項目名とそれぞれの選択項目名に対応するラジオボタンとを表示する。ここで、「自動車の返却」は、自動車の使用を中止して自動車を販売店に返却することを意味し、「分割ローン払い」は自動車の使用を継続して据置価格を分割ローンによって支払うことを意味し、「一括払い」は自動車の使用を継続して据置価格を一括で支払うことを意味している。オペレータがマウス４を使用してこれらのいずれかのラジオボタンを選択し、例えば、インターフェース画面に表示された決定ボタンをクリックすると、ＣＰＵ２１は、ラジオボタンの選択に応じて「自動車の返却」、「分割ローン払い」、「一括払い」の何れかを示す自動車の処分情報の入力を受け付ける（Ｓ２０４）。そして、受け付けた処分情報を、ステップＳ２０２で特定した「顧客の識別情報」に対応付けて顧客情報データベース２４ａの所定の領域に記憶する（Ｓ２０５）。
【００３１】
このように、本発明のローン支払額算出装置１によれば、ローン完済後に自動車をどのように処分するかを顧客の情報に対応付けて登録し、管理することができるという効果が得られる。
【００３２】
なお、本発明の実施形態は、上述の形態に限らず、本発明の技術思想の範囲内において種々に変更することができる。例えば、保険料額、税金額、車検料額などを決定するための情報は上述した情報に限らず、保険料額、税金額、車検料額などの決定に必要な情報に適宜変更してかまわない。
【００３３】
また、上述の実施の形態では、「顧客の識別情報」、「自動車に関する情報」、「自動車の利用に関する情報」、「自動車の運転手に関する情報」、「自動車の本体価格」、「頭金額」、及び、「ローン期間に関する情報」を入力し、据置価格データベース２４ｂ、自動車情報データベース２４ｃ、税金額データベース２４ｄ、保険料額データベース２４ｅ、及び、車検料額データベース２４ｆをＨＤＤ２４に記憶しておくこととしたが、入力する情報と予めデータベースとして記憶しておく情報はこれらのように定めるに限らず、どの情報を入力し、どの情報をデータベースとして記憶しておくかは適宜に変更してもよい。つまり、例えば、自動車情報データベース２４ｃに記憶している情報を、ローン支払額を算出する度にオペレータが入力するようにしてもかまわない。
【００３４】
さらに、上述の実施の形態では、ローンを分割で支払うためのローン支払月額と賞与時ローン支払額とを算出することとしたが、賞与時ローン支払額を算出せず、ローン支払月額のみを算出して賞与時にはローンの返済をしないことを選択できるようにしてもよい。また、逆に、ローン支払月額を算出せず、賞与時ローン支払額のみを算出して賞与時のみにローンの返済をすることを選択できるようにしてもよい。
【産業上の利用可能性】
【００３５】
本発明は、据置価格を差し引いた自動車の本体価格と自動車に関する諸費用との合計金額のローン支払額を算出するローン支払額算出装置に適用可能である。
【図面の簡単な説明】
【００３６】
【図１】本発明のローン支払額算出装置（パーソナルコンピュータ）１の外観を説明する説明図である。
【図２】本発明のローン支払額算出装置（パーソナルコンピュータ）１の構成を示すブロック図である。
【図３】本発明のローン支払額算出装置（パーソナルコンピュータ）１がローン支払額を算出する際にＣＰＵ２１が実行する処理について説明するフローチャートである。
【図４】図３のフローチャートに続くフローチャートである。
【図５】本発明のローン支払額算出装置（パーソナルコンピュータ）１に自動車の処分についての登録を行う際に、ＣＰＵ２１が実行する処理について説明するフローチャートである。
【符号の説明】
【００３７】
１      ローン支払額算出装置（パーソナルコンピュータ）
２      本体
３      キーボード
４      マウス
５      ディスプレイ
２１    ＣＰＵ
２４    ＨＤＤ
２４ａ  顧客情報データベース
２４ｂ  据置価格データベース
２４ｃ  自動車情報データベース
２４ｄ  税金額データベース
２４ｅ  保険料額データベース
２４ｆ  車検料額データベース
【図１】
2008146368.tif 000003
【図２】
2008146368.tif 000004
【図３】
2008146368.tif 000005
【図４】
2008146368.tif 000006
【図５】
2008146368.tif 000007